(57)【要約】【課題】  本発明は、ドラム内の布を均一に乾燥し、流路抵抗を最小化することにより、乾燥時間及び消費電力を減少できる乾燥兼用洗濯機を提供する。【解決手段】  キャビネットの内部に支持されたタブと、前記タブの内側に回転自在に配置されたドラムと、前記ドラムの内部に熱風を供給するための乾燥用ヒータおよび送風ファンを備えた乾燥ダクトと、を含んで構成され、前記乾燥ダクトには、前記ドラムの内部に熱風を吐出する少なくとも二つ以上の吐出端が形成される乾燥兼用洗濯機を構成する。【選択図】      図２
2006289048.tif 000002
【特許請求の範囲】
【請求項１】
キャビネットの内部に支持されたタブと、
前記タブの内側に回転自在に配置されたドラムと、
前記ドラムの内部に熱風を供給するための乾燥用ヒータおよび送風ファンを備えた乾燥ダクトと、を含んで構成され、
前記乾燥ダクトには、前記ドラムの内部に熱風を吐出する少なくとも二つ以上の吐出端が形成されていることを特徴とする乾燥兼用洗濯機。
【請求項２】
前記乾燥ダクトには、前記ドラム内の空気を吸入する少なくとも一つ以上の吸入端が形成され、前記吸入端は、前記タブの周面に連結されていることを特徴とする請求項１記載の乾燥兼用洗濯機。
【請求項３】
複数個の前記吐出端は、前記タブの前方側に連結されて前記タブの内側前方に熱風を供給する前方吐出端と、前記タブの後方側に連結されて前記タブの内側後方に熱風を供給する後方吐出端と、から構成されていることを特徴とする請求項２記載の乾燥兼用洗濯機。
【請求項４】
前記乾燥兼用洗濯機は、前記キャビネットに形成された布出し入れホールを開閉するドアと、前記タブに設置されて前記ドアと前記タブとの間を密閉するガスケットと、をさらに含んで構成され、
前記前方吐出端は、前記ガスケットに連結されていることを特徴とする請求項３記載の乾燥兼用洗濯機。
【請求項５】
前記前方吐出端は、前記タブの前面上部に連結されていることを特徴とする請求項３記載の乾燥兼用洗濯機。
【請求項６】
前記後方吐出端は、前記タブの上側後方に連結されていることを特徴とする請求項３記載の乾燥兼用洗濯機。
【請求項７】
前記後方吐出端は、前記タブの背面上部に連結されていることを特徴とする請求項３記載の乾燥兼用洗濯機。
【請求項８】
前記タブと前記ドラムとの間には、前記吐出端から吐出された熱風が前記タブの周面と前記ドラムの周面との間に流れることを防止する遮断壁が備えられていることを特徴とする請求項３記載の乾燥兼用洗濯機。
【請求項９】
前記乾燥兼用洗濯機は、前記タブ内の空気を凝縮する凝縮手段をさらに含んで構成されていることを特徴とする請求項８記載の乾燥兼用洗濯機。
【請求項１０】
前記凝縮手段は、前記タブの一側に冷却水を供給する冷却水供給装置と、前記タブの内壁に設置され、前記冷却水供給装置によって供給された冷却水を案内する凝縮板と、を含んで構成され、冷却水が前記タブの内壁と前記凝縮板との間に流れることを特徴とする請求項９記載の乾燥兼用洗濯機。
【発明の詳細な説明】
【技術分野】
【０００１】
本発明は、乾燥兼用洗濯機に関するもので、詳しくは、乾燥ダクトの長さが短くなって流路抵抗を減少するとともに、複数個の乾燥ダクトの吸入端および吐出端によってドラム内の布を均一に乾燥することにより、乾燥時間及び消費電力を節減できる乾燥兼用洗濯機に関する。
【背景技術】
【０００２】
一般に、洗濯機は、洗剤が溶解した水またはきれいな水(以下、‘洗濯水’という)の作用を用いて、衣類や寝具など(以下、‘布’という)の汚染物質を除去する機器である。最近、多くの洗濯機には、乾燥機能が備わり、布を乾燥する乾燥装置などの多様な補助装置が装着されている。
【０００３】
図１は、従来の乾燥兼用洗濯機の内部を示すために一部を切欠いた側断面図である。
【０００４】
従来の乾燥兼用洗濯機は、図１に示すように、キャビネット２と、このキャビネット２の内部に位置して洗濯水を収容するタブ１０と、前記タブ１０の内部に回転自在に配置されて布１を収容するドラム２０と、このドラム２０を回転するモータ３０と、を含んで構成される。
【０００５】
前記キャビネット２の前面には、布１を出し入れするための布出し入れホール３が形成されており、この布出し入れホール３は、ドア４によって開閉される。
【０００６】
前記タブ１０は、前記キャビネット２の上部に連結されたスプリング５によって懸架される。また、前記タブ１０は、前記キャビネット２の下部に装着されたダンパー６によって支持されるため、前記タブ１０にかかる衝撃が前記ダンパー６によって効果的に吸収される。
【０００７】
前記タブ１０には、外部から供給される洗濯水を前記タブ１０内に供給する給水装置７と、前記タブ１０内の洗濯水を外部に排出する排水装置８と、が連結される。
【０００８】
前記タブ１０の前面中央には、布１および空気を出し入れするためのタブ開口ホール部１１が形成される。また、前記タブ１０の前面には、前記ドア４の閉鎖時、前記ドア４に密着されることで、前記タブ１０と前記ドア４との隙間から布１、洗濯水および空気が流出することを防止するガスケット９が装着される。
【０００９】
また、前記タブ１０の内側下部には、蒸し洗濯を行うために洗濯水を加熱する洗濯用ヒータ１３と、洗濯水の温度を感知する洗濯用温度センサ(図示せず)と、が設置される。
【００１０】
前記ドラム２０の前面には、布１および空気を出し入れするためのドラム開口ホール部２１が形成される。また、前記ドラム２０の周面には、洗濯水および空気を出し入れするための多数個の通孔２２が形成される。
【００１１】
前記ドラム２０の内壁には、前記布１を上側に持ち上げてから落下するためのリフター２３が設置される。
【００１２】
一方、前記乾燥兼用洗濯機は、前記ドラム２０の内部に熱風を供給するための送風ファン４１及び乾燥用ヒータ４２を備えた乾燥ダクト４０と、前記ドラム２０を乾燥しながら発生した湿空気を凝縮するとともに、凝縮された空気を前記乾燥ダクト４０に案内する凝縮機４３と、をさらに含んで構成される。
【００１３】
前記乾燥ダクト４０には、前記循環ファン４１を回転するためのファンモータ４４が装着される。また、前記乾燥ダクト４０の出口端は、前記ガスケット９に形成された乾燥ダクト連結口１２に内挿または外挿されて固定される。
【００１４】
前記凝縮機４３は、前記タブ１０の背面部に連結されて前記タブ１０内の空気を通過させる凝縮ダクト４５と、この凝縮ダクト４５を通過する空気が冷却水によって冷却されて凝縮されるように、前記凝縮ダクト４５の内部に冷却水を供給する冷却水供給装置４６と、を含んで構成される。
【００１５】
ここで、前記乾燥ダクト４０から前記タブ１０に流入された乾燥空気が前記タブ１０内で均一に循環された後、前記凝縮ダクト４５に排出されるように、前記凝縮ダクト４５の吸入端と前記乾燥ダクト４０の出口端とが対角線方向に位置決めされる。
すなわち、前記乾燥ダクト４０の出口端は、前記タブ１０の前面部上側に連結され、前記凝縮ダクト４５の吸入端は、前記タブ１０の背面部下側に連結される。
【００１６】
また、前記凝縮ダクト４５の内部には、冷却水によって冷却された空気の温度を感知する凝縮機温度センサ４７が装着される。
【００１７】
以下、このように構成された従来の乾燥兼用洗濯機の作動を説明する。
【００１８】
まず、前記ドラム２０の内部に布１を投入した後、前記ドア４を閉じて洗濯機を作動すると、前記給水装置７によって洗濯水が供給される。
【００１９】
次いで、この洗濯水は、前記タブ１０内に供給された後、前記ドラム開口ホール部２１または通孔２２を通って前記ドラム２０の内部に流入し、布１を濡らすようになる。
【００２０】
その後、前記モータ３０が駆動されると、前記ドラム２０が回転しながら洗濯水の作用によって布１の汚染物質が取り除かれる。
【００２１】
上記のような洗濯行程が終了すると、前記排水装置８を介して前記タブ１０内の汚染された洗濯水が外部に排出された後、布１に残ったバブルを濯ぐための濯ぎ行程が複数回行われる。
【００２２】
上記のような複数回の濯ぎ行程が終了すると、遠心力によって布１の水気を取り除く脱水行程が行われる。
【００２３】
この脱水行程が終了すると、布を乾燥する乾燥行程が行われる。前記モータ３０の駆動により前記ドラム２０が回転すると、前記送風ファン４１および乾燥用ヒータ４２がオンになり、前記冷却水供給装置４６によって冷却水が供給される。
【００２４】
前記ドラム２０内の低温多湿空気は、前記循環ファン４１の回転により、前記ドラム２０の通孔２２およびタブ１０を介して前記凝縮ダクト４５に吸入される。
【００２５】
このとき、前記凝縮ダクト４５の内部には、前記冷却水供給装置４６によって供給される冷却水が流れ、前記凝縮ダクト４５に吸入された空気は、冷却水によって凝縮されて乾燥空気になる。
【００２６】
前記凝縮ダクト４５を通過した空気は、前記乾燥ダクト４０を通過しながら前記乾燥用ヒータ４２によって加熱されて熱風に変わり、この熱風は、前記乾燥ダクト４０の出口端を介して前記ドラム２０の前面に送風される。
【００２７】
この送風された熱風は、前記ドラム２０内で布１を乾燥しながら低温多湿の空気に変わった後、再び前記凝縮ダクト４５に循環される。
【００２８】
しかしながら、従来の乾燥兼用洗濯機は、 熱風が前記ドラム２０の内部で均一に循環するように、前記乾燥ダクト４０の出口端と前記凝縮ダクト４５の吸入端とを対角線方向に位置決めするために、前記乾燥ダクト４０および凝縮ダクト４５の流路が長くなって流路抵抗が大きくなる。その結果、風量を充分に確保することが困難であり、乾燥時間および消費電力が増大するという問題点があった。
【００２９】
また、前記凝縮ダクト４５の長さが増加することで、前記タブ１０およびドラム２０の容積が減少するという問題点があった。
【００３０】
上記の問題点を解決するために、前記凝縮ダクト４５の吸入端を前記タブ１０の側面に位置決めすると、前記凝縮ダクト４５の長さが短くなる。しかしながら、熱風が前記ドラム２０の前面部のみに形成されるため、前記ドラム２０の後面部にある布１が充分に乾燥されなくなる。その結果、前記ドラム２０の内部における布１の不均一な乾燥により、乾燥時間及び消費電力が増大するとともに、布１の損傷が発生するという問題点があった。
【発明の開示】
【発明が解決しようとする課題】
【００３１】
本発明は、上記の問題点を解決するためになされたもので、ドラム内の布を均一に乾燥し、流路抵抗を最小化することで、乾燥時間及び消費電力を減少できる乾燥兼用洗濯機を提供することを目的とする。
【課題を解決するための手段】
【００３２】
上記の目的を達成するために、本発明による乾燥兼用洗濯機は、キャビネットの内部に支持されたタブと、前記タブの内側に回転自在に配置されたドラムと、前記ドラムの内部に熱風を供給するための乾燥用ヒータおよび送風ファンを備えた乾燥ダクトと、を含んで構成され、前記乾燥ダクトには、前記ドラムの内部に熱風を吐出する少なくとも二つ以上の吐出端が形成されることを特徴とする。
【００３３】
好適には、前記乾燥ダクトには、前記ドラム内の空気を吸入する少なくとも一つ以上の吸入端が形成され、前記吸入端は、前記タブの周面に連結されることを特徴とする。
【００３４】
好適には、前記複数個の吐出端は、前記タブの前方側に連結されて前記タブの内側前方に熱風を供給する前方吐出端と、前記タブの後方側に連結されて前記タブの内側後方に熱風を供給する後方吐出端と、から構成されることを特徴とする。
【００３５】
好適には、前記乾燥兼用洗濯機は、前記キャビネットに形成された布出し入れホールを開閉するドアと、前記タブに設置されて前記ドアと前記タブとの間を密閉するガスケットと、をさらに含んで構成され、前記前方吐出端は、前記ガスケットに連結されることを特徴とする。
【００３６】
好適には、前記前方吐出端は、前記タブの前面上部に連結されることを特徴とする。
【００３７】
好適には、前記後方吐出端は、前記タブの上側後方に連結されることを特徴とする。
【００３８】
好適には、前記後方吐出端は、前記タブの背面上部に連結されることを特徴とする。
【００３９】
好適には、前記タブと前記ドラムとの間には、前記吐出端から吐出された熱風が前記タブの周面と前記ドラムの周面との間に流れることを防止する遮断壁が備えられることを特徴とする。
【００４０】
好適には、前記乾燥兼用洗濯機は、前記タブ内の空気を凝縮する凝縮手段をさらに含んで構成されることを特徴とする。
【００４１】
好適には、前記凝縮手段は、前記タブの一側に冷却水を供給する冷却水供給装置と、前記タブの内壁に設置され、前記冷却水供給装置によって供給された冷却水を案内する凝縮板と、を含んで構成され、冷却水が前記タブの内壁と前記凝縮板との間に流れることを特徴とする。
【発明の効果】
【００４２】
本発明による乾燥兼用洗濯機は、乾燥ダクトに少なくとも一つ以上の吸入端および少なくとも二つ以上の吐出端が備わるため、風量が増大することで、乾燥時間および消費電力を低減できるという効果がある。
【００４３】
また、前記吸入端は、前記タブの周面中央側に連結され、前記吐出端は、前記タブの前後方側にそれぞれ連結される前方吐出端および後方吐出端により構成される。その結果、前記ドラム内の前後側にある全ての布を均一に乾燥するので、布の損傷を防止し、布を乾燥するのに充分な風量を確保し、流路抵抗を最小化することで、乾燥時間及び消費電力を節減できる効果がある。
【００４４】
また、前記タブとドラムの周面との間に備わった遮断壁によって、前記後方吐出端から吐出された熱風が前記タブの内周面とドラムの外周面との間に流れなくなり、前記ドラム内に吐出される熱風の有効風量を増加できるという効果がある。
【００４５】
また、前方吐出端が前記タブの前面上部に直接連結されるため、熱風がガスケットを通過しなくなり、熱風によるガスケットの損傷及び寿命低下を防止できるという効果がある。
【発明を実施するための最良の形態】
【００４６】
以下、本発明の実施の形態を図面に基づいて説明する。
図２は、本発明の第１実施形態による乾燥兼用洗濯機の内部を示した縦断面図で、図３は、本発明の第１実施形態によるタブを示した斜視図で、図４は、本発明の第１実施形態による乾燥兼用洗濯機の内部を示した横断面図である。
【００４７】
本発明の第１実施形態による乾燥兼用洗濯機は、図２乃至図４に示すように、キャビネット５０と、このキャビネット５０の内部に支持されて洗濯水を収容するタブ５１と、このタブ５１の内部に回転自在に配置されて布を収容するドラム５２と、このドラム５２を回転するモータ５３と、前記ドラム５２の内部に熱風を供給するための乾燥用ヒータ５４および送風ファン５５を備えた乾燥ダクト７０と、を含んで構成される。
【００４８】
前記キャビネット５０の前面には、布１１０を出し入れするための布出し入れホール５６が形成され、この布出し入れホール５６は、ドア５７によって開閉される。
【００４９】
前記タブ５１には、外部から供給される洗濯水を前記タブ５１内に供給する給水装置５８と、前記タブ５１内の洗濯水を外部に排出する排水装置５９と、が連結される。
【００５０】
また、前記タブ５１の前面中央には、布および空気を出し入れするためのタブ開口ホール部６０が形成される。また、前記タブ５１の前面には、前記ドア５７の閉鎖時に、前記ドア５７に密着することによって、前記タブ５１と前記ドア５７との隙間に布、洗濯水および空気が流出することを防止するガスケット６１が装着される。
【００５１】
また、前記タブ５１の内側下部には、蒸し洗濯を行うために洗濯水を過熱する洗濯用ヒータ６２と、洗濯水の温度を感知する洗濯用温度センサ(図示せず)と、が設置される。
【００５２】
前記ドラム５２の前面には、布１１０および空気を出し入れするためのドラム開口ホール部６３が形成される。また、前記ドラム５２の周面および背面には、洗濯水および空気を出し入れするための多数個の通孔６４が形成される。また、前記ドラムの内壁には、布１１０を上側に持ち上げてから落下させるリフター６５が設置される。
【００５３】
一方、前記乾燥ダクト７０は、前記ドラム５２内の空気を吸入する吸入端７１と、この吸入端７１から吸入された空気を加熱した後、再び前記ドラム５２の内部に吐出する吐出端７２，７３と、を備える。
【００５４】
前記吸入端７１は、少なくとも一つ以上形成され、前記吐出端７２，７３は、少なくとも二つ以上形成されるが、本実施形態では、前記吸入端７１が一個であり、前記吐出端７２，７３が二個である。
【００５５】
また、前記吸入端７１は、前記タブ５１の周面の上部に形成された吸入端連結口７４に連結されるが、この吸入端連結口７４は、前記吸入端７１に吸入される空気の抵抗を最小化するために、前記タブ５１に接線方向に形成されることが好ましい。
【００５６】
前記吐出端７２，７３は、前記ドラム５２内に熱風を供給するために、前記吸入端７１を中心に前後方向に分岐され、前記タブ５１の前後方側にそれぞれ連結される。
【００５７】
すなわち、前記吐出端７２，７３は、前記タブ５１の前方側に連結されて前記タブ５１の内側前方に熱風を供給する前方吐出端７２と、前記タブ５１の後方側に連結されて前記タブ５１の内側後方に熱風を供給する後方吐出端７３と、から構成される。
【００５８】
前記前方吐出端７２は、前記ガスケット６１に形成された前方連結口７５に内挿または外挿されて固定され、前記後方吐出端７３は、前記タブ５１の上側後方に形成された後方連結口７６に固定される。
【００５９】
一方、前記タブ５１とドラム５２との間には、前記後方吐出端７３から吐出された熱風が前記タブ５１の内周面と前記ドラムの外周面との間に流れることを防止する遮断壁７７が備えられる。
【００６０】
前記遮断壁７７は、前記タブ５１の内壁から下方に突出形成される。
【００６１】
一方、前記送風ファン５５は、前記ドラム５２内の空気を前記乾燥ダクト７０の内部に吸入するために、前記乾燥用ヒータ５４の前側に配置され、前記前方吐出端７２と後方吐出端７３との分岐点の前側に配置されることが好ましいが、本実施形態では、前記送風ファン５５が前記吸入端７１側に配置される。
【００６２】
すなわち、前記送風ファン５５は、前記吸入端連結口７４の直上方に配置される。
また、前記乾燥用ヒータ５４は、前記前方吐出端７２および後方吐出端７３の両側に流れる全ての空気を加熱するために、前記送風ファン５５と、前記前方吐出端７２および後方吐出端７３が分岐される分岐点と、の間に配置される。
【００６３】
すなわち、前記乾燥用ヒータ５４は、前記前方吐出端７２と後方吐出端７３との分岐点に配置されるか、または、前記前方吐出端７２と後方吐出端７３との分岐点の前側に配置されることが好ましいが、本実施形態の乾燥用ヒータ５４は、前記前方吐出端７２と後方吐出端７３との分岐点に配置される。
【００６４】
一方、図３及び図４に示すように、前記乾燥兼用洗濯機は、前記タブ５１の内側で布１１０を乾燥した空気を凝縮する凝縮手段をさらに含んで構成される。
【００６５】
ここで、前記凝縮手段は、前記タブ５１の一側に冷却水を供給する冷却水供給装置７８と、前記タブ５１の内壁に設置され、前記冷却水供給装置７８によって供給された冷却水を案内する凝縮板７９と、を含んで構成され、冷却水が前記タブ５１の内壁と前記凝縮板７９との間に流れる。
【００６６】
前記タブ５１の一側には、前記冷却水供給装置７８を通して供給される冷却水を前記タブ５１の内部に流入させるための冷却水供給ホール部８０が形成される。
【００６７】
前記冷却水供給装置７８は、図４に示すように、外部から供給される冷却水を前記冷却水供給ホール部８０に案内する冷却水ホース８１と、この冷却水ホース８１に設置され、冷却水ホース８１を通して冷却水供給ホール部８０に供給される冷却水を制御する冷却水バルブ８２と、から構成される。
【００６８】
また、前記凝縮板７９は、前記吸入端連結口７４および冷却水供給ホール部８０の下側に位置決めされ、図３に示すように、前記吸入端連結口７４を中心に前後方向に所定の幅を有して配置される。
【００６９】
以下、上記のように構成された本発明による乾燥兼用洗濯機の乾燥作動を説明する。
布１１０を乾燥する乾燥行程が開始すると、前記ドラム５２の回転により前記送風ファン５５および乾燥用ヒータ５４がオンになり、前記冷却水供給装置７８によって冷却水が供給される。
【００７０】
前記ドラム５２が回転すると、前記ドラム５２内の布１１０が前記ドラム５２の内部で揺れ動き、前記ドラム５２内の空気は、前記送風ファン５５の回転時に発生する送風圧によって前記ドラム５２の通孔６４に流動する。
【００７１】
前記ドラム５２の通孔６４に流動する空気が前記布１１０に接触すると、布１００が乾燥し、空気が低温多湿の空気に変わる。この低温多湿空気は、前記ドラム５２の通孔６４を介して前記ドラム５２とタブ５１との間へ流動する。
【００７２】
前記ドラム５２とタブ５１との間に流動した湿空気は、前記凝縮板７９に接触する。
【００７３】
ここで、前記冷却水バルブ８２および冷却水ホース８１を介して供給された冷却水は、前記凝縮板７９とタブ５１の内壁との間を通過しながら、前記凝縮板７９から熱を吸収した後に下側へ排出される。
【００７４】
その結果、湿空気の熱が前記凝縮板７９に伝達され、湿空気内の水分が前記凝縮板７９によって凝縮される。よって、湿空気が低湿の空気に変わる。
【００７５】
低湿の空気は、前記吸入端連結口７４を通って前記乾燥ダクト７０の吸入端７１に吸入された後、前記乾燥用ヒータ５４によって加熱されて高温低湿な熱風に変わる。
【００７６】
前記熱風は、前記乾燥ダクト７０の前方吐出端７２および後方吐出端７３を介してそれぞれ流れることにより、前記タブ５１の前方および後方側に吐出される。
【００７７】
すなわち、前記熱風の一部は、前記前方吐出端７２を通して前記タブ５１およびドラム５２の内側前方に吐出され、その残りは、前記後方吐出端７３を通して前記タブ５１およびドラム５２の内側後方に吐出される。
【００７８】
したがって、前記ドラム５２の内側前後方に熱風が供給されるため、布１１０の位置とは関係なしに均一な乾燥が行われる。
【００７９】
また、前記タブ５１の内側後方に設置された前記遮断壁７７によって、前記後方吐出端７３から吐出された熱風が前記タブ５１の内周面とドラム５２の外周面との間に流れなくなり、前記ドラム５２の通孔６４を介して前記ドラム５２の内部に吐出される熱風の有効風量が増大する。
【００８０】
図５は、本発明の第２実施形態による乾燥兼用洗濯機の内部を示した縦断面図である。
本発明の第２実施形態による乾燥兼用洗濯機において、図５に示すように、乾燥ダクト９０は、前記ドラム５２内の空気を吸入する吸入端９１と、この吸入端９１から吸入された空気を加熱した後、再び前記ドラム５２の内部に吐出する吐出端９２，９３と、から構成される。また、前記吐出端９２，９３は、前記タブ５１の内側前方に熱風を供給する前方吐出端９２と、前記タブ５１の内側後方に熱風を供給する後方吐出端９３と、から構成される。
【００８１】
ここで、前記後方吐出端９３は、前記タブ５１の背面上部に連結され、前記後方吐出端９３から吐出された熱風が前記タブ５１の内周面と前記ドラム５２の外周面との間に流れることを防止する遮断壁９４は、前記タブ５１の背面部内側から前方に突出形成される。前記のような点を除いた他の構成及び作用は、本発明の第１実施形態と同一であるので、同一参照番号を用いてその詳細な説明を省略する。
【００８２】
また、前記後方吐出端９３が、前記タブ５１の背面とキャビネット５０との間の最小限の空間を用いて流路抵抗を最小化するように、前記後方吐出端９３のうち前記タブ５１の背面側に位置した部分は、残り部分よりも小さい断面積および長さで形成される。
【００８３】
本発明の第２実施形態による乾燥兼用洗濯機によると、前記後方吐出端９３を介して吐出された熱風は、前記ドラム５２の背面に向かって流れることにより、前記ドラム５２の内部に容易に供給される。
【００８４】
図６は、本発明の第３実施形態による乾燥兼用洗濯機の内部を示した縦断面図である。
【００８５】
本発明の第３実施形態による乾燥兼用洗濯機において、図６に示すように、乾燥ダクト１００は、前記ドラム５２内の空気を吸入する吸入端１０１と、この吸入端１０１から吸入された空気を加熱した後、再び前記ドラム５２の内部に吐出する吐出端１０２，１０３と、から構成される。また、前記吐出端１０２，１０３は、前記タブ５１の内側前方に熱風を供給する前方吐出端１０２と、前記タブ５１の内側後方に熱風を供給する後方吐出端１０３と、から構成される。
【００８６】
ここで、前記前方吐出端１０２は、前記タブ５１の前面上部に形成された前方連結口１０４に直接連結され、前記ドラム５２には、前記前方連結口１０４との対向位置で複数個の通孔１０５が形成される。前記のような点を除いた他の構成及び作用は、本発明の第１実施形態と同一であるので、同一参照番号を用いてその詳細な説明を省略する。
【００８７】
本発明の第３実施形態による乾燥兼用洗濯機は、前記前方吐出端１０２が前記タブ５１に直接連結されるので、熱風がガスケット１０６を通過するときに発生するガスケット１０６の損傷及び寿命低下を防止できる。
【図面の簡単な説明】
【００８８】
【図１】従来の乾燥兼用洗濯機の内部を示すために一部を切欠いた側断面図である。
【図２】本発明の第１実施形態による乾燥兼用洗濯機の内部を示した縦断面図である。
【図３】本発明の第１実施形態によるタブを示した斜視図である。
【図４】本発明の第１実施形態による乾燥兼用洗濯機の内部を示した横断面図である。
【図５】本発明の第２実施形態による乾燥兼用洗濯機の内部を示した縦断面図である。
【図６】本発明の第３実施形態による乾燥兼用洗濯機の内部を示した縦断面図である。
【符号の説明】
【００８９】
５０    キャビネット
５１    タブ
５２    ドラム
５３    モータ
５４    乾燥用ヒータ
５５    送風ファン
５６    布出し入れホール
５７    ドア
５８    給水装置
５９    排水装置
６０    タブ開口ホール部
６１，１０４    ガスケット
６２    洗濯用ヒータ
６３    ドラム開口ホール部
６４，１０５    通孔
６５    リフター
７０，９０，１００    乾燥ダクト
７１，９１，１０１    吸入端
７２，９２，１０２    前方吐出端
７３，９３，１０３    後方吐出端
７４    吸入端連結口
７５    前方連結口
７６    後方連結口
７７，９４    遮断壁
７８    冷却水供給装置
７９    凝縮板
８０    冷却水供給ホール部
８１    冷却水ホース
８２    冷却水バルブ
【図１】
2006289048.tif 000003
【図２】
2006289048.tif 000004
【図３】
2006289048.tif 000005
【図４】
2006289048.tif 000006
【図５】
2006289048.tif 000007
【図６】
2006289048.tif 000008